(57)【要約】【課題】  携帯等の取り扱いが便利で、場所を問わずにどこにおいても練習することができ、さらに練習者のレベルに合わせて難易度を調節できる構造簡単且つ安価なゴルフパター練習具を提供する。【解決手段】  ゴルフボールが間を通過する高さを有する両端脚部１，１と天板２によって門型に形成され、前記両端脚部１，１がそれぞれ内側に折畳み自在に構成されてなるゴルフパター練習具、好ましくは、前記天板２が伸縮自在であり、さらに好ましくは、前記両端脚部１，１の下端にそれぞれ固定手段１３，１３を設けてなる。【選択図】    図１
0003169095.tif 000002
【実用新案登録請求の範囲】
【請求項１】
ゴルフボールが間を通過する高さを有する両端脚部と天板とによって門型に形成され、前記両端脚部がそれぞれ内側に折畳み自在に構成されてなることを特徴とするゴルフパター練習具。
【請求項２】
前記天板が伸縮自在に構成されてなることを特徴とする請求項１に記載のゴルフパター練習具。
【請求項３】
前記両端脚部の下端にそれぞれ固定手段を設けたことを特徴とする請求項1又は２に記載のゴルフパター練習具。
【考案の詳細な説明】
【技術分野】
【０００１】
本考案は、携帯等の取り扱いが便利で、場所を問わずにどこにおいても練習することができ、さらに練習者のレベルに合わせて難易度を調節することができる構造簡単且つ安価なゴルフパター練習具に関する。
【背景技術】
【０００２】
従来、ゴルフパター練習具としては、主に、人工芝を有するマットが利用されている。一例を挙げれば、ホール付基台に傾斜板を連結したものと長方形に裁断した人工芝生とを組合せてなり、前記ホールの真下に排出口のある碗型のボール受部材を形成し、該ボール受部材からやや離れた該取付板の前端部寄りには回転軸を有する角度調整台を設け、前記取付板裏面の上板部材に支持部材を嵌め込んでなる該角度調整台を左右に動かすことによって人工芝材の上面の傾斜角度を自在に操作できるゴルフパター練習具（特開２００５−１７７４１８号公報）が提案されている。
【先行技術文献】
【特許文献】
【０００３】
【特許文献１】特開２００５−１７７４１８号公報
【考案の概要】
【考案が解決しようとする課題】
【０００４】
従来提供されている各種のゴルフパター練習具は、一般に構造が複雑で全体形状が大きいという問題があった。本考案は、携帯等の取り扱いが便利で、場所を問わずにどこにおいても練習をすることができ、さらに練習者のレベルに合わせて難易度を調節できる構造簡単且つ安価なゴルフパター練習具を提供することを目的とする。
【課題を解決するための手段】
【０００５】
本発明に係るゴルフパター練習具は、ゴルフボールが間を通過する高さを有する両端脚部と天板とによって門型に形成され、前記両端脚部がそれぞれ内側に折畳み自在に構成されてなることを特徴とする（請求項１）。
【０００６】
前記本考案は、ゴルフボールが間を通過する高さの両端脚部が該両端脚部の上端に設けた天板によって門型に形成されている。したがって、そのまま任意の場所に置いて、パターを手に持って所定の距離からゴルフボールをパッティングし、ゴルフボールを前記門型内に通過させることによってパターの練習を行うことができる。また、携帯時あるいは不使用時には前記両端脚部をそれぞれ内側に折畳めばコンパクトに構成されて携帯及び格納等の取扱いが便利である。
【０００７】
本考案の実施の一形態は、前記天板が伸縮自在であることを特徴とする（請求項２）。前記の天板を伸縮自在にすることにより前記両端脚部の間隔を調節することができる。したがって、練習者のレベル合わせて前記両端脚部の間隔を調節して練習を行うことができる。さらに練習の進行に合わせて前記両端脚部の間隔を順次狭めるなどしてパター技術を向上させることができる。
【０００８】
本考案の他の一実施例は、前記両端脚部の下端にそれぞれ固定手段を設けたことを特徴とする（請求項３）。この実施の一形態によれば、必要に応じて使用する場所に固定することができる。したがって、前記両端脚部にゴルフボールが当たった場合にも練習具の位置ずれを防止することができる。
【０００９】
なお、前記固定手段は練習後の固定解除を考えて完全固定でない構成とされる。例えば、芝生面で使用する場合には、前記両端脚部の下端を芝生面の土に差し込むピンで固定することができる。また、じゅうたん、カーペット、床面等に設置する場合には剥離自在の両面接着テープ等を使用するとよい。
【考案の効果】
【００１０】
本考案のゴルフパター練習具は、携帯等の取り扱いに便利であり、場所を問わずにどこにおいても練習をすることができる。さらに練習者のレベルに合わせて両端脚部の間隔を調節して練習を行うことができる。その他、構成簡単且つ安価に提供できる効果が得られる。
【図面の簡単な説明】
【００１１】
【図１】本考案の実施の一形態に係るゴルフパター練習具の使用状態を示す斜視図である。
【図２】図１の一部切り欠き分解斜視図である。
【図３】折畳み状態を示す斜視図である。
【考案を実施するための形態】
【００１２】
以下、添付図面を参照して、本考案の実施の一形態について説明する。
【００１３】
本考案のゴルフパター練習具は、ゴルフボールが間を通過する高さを有する両端脚部１，１と該両端脚部１，１の上端に設けた天板２によって門型に形成される。
【００１４】
さらに、前記両端脚部１，１がそれぞれ内側に折畳み自在に構成される。図面実施例では、前記天板２の両端部に形成した肉厚部にそれぞれピン３により折畳み自在に止着している。
【００１５】
本考案では、さらに前記天板２が伸縮自在に構成される。図面実施例では、前記天板２は、二枚の天板２ａ及び２ｂを重ね合わせてスライド自在とすることにより伸縮自在に構成している。
【００１６】
すなわち、一方の天板２ａの下面に二本のガイドレール４，４が平行に設けられ、他方の天板２ｂの上面に前記二本のガイドレール４，４が適合する二本の溝５，５と該二本の溝５，５のそれぞれ内側に二本の長孔６，６が形成される。
【００１７】
つぎに、前記一方の天板２ａの内部端であって前記他方の天板２ｂの長孔６，６と対応する位置にそれぞれ雌ねじ孔７，７が形成される。
【００１８】
つぎに、前記両方の天板２ａ及び２ｂが重ね合わされ、前記他方の天板２ｂの下面から前記長孔６，６に頭部が係止するボルト８，８を通して前記一方の天板２ａの雌ねじ孔７，７に完全に締め付けることなく緩く螺合させている。前記構成により、天板２、すなわち、二枚の天板２ａ及び２ｂがスライド自在であり伸縮自在に構成される。
【００１９】
なお、図面実施例では、前記二本のガイドレール４，４のそれぞれ片側に波型部９，９が形成されている。そして該波型部９，９に他方の天板２ｂの内部端の上面にそれそれ設けた彎曲形状の板ばね１０，１０を係合させている。したがって、前記天板２を伸縮させると前記板ばね１０，１０が前記波型部９，９に順次適合して任意の位置に静止する構成となっている。
【００２０】
前記天板２の伸縮自在の他の構成として、例えば、前記一方の天板２ａ内部を空洞に形成し、該空洞に他方の天板２ｂを挿し込む構成としてもよい。
【００２１】
つぎに、前記両端脚部の1，１の下端部にそれぞれ設けられる固定手段１３，１３の一実施例について述べる。図面実施例では、前記両端脚部１，１の下端平面部に透孔１１，１１を設け、該透孔１１，１１にゴルフティ１２，１２等を通して該ゴルフティ１２，１２を芝生面の土に差し込み固定できる構成を採用している。
【００２２】
前記構成の本考案のゴルフパター練習具は、不使用時には図３に示すように両端脚部１，１をそれぞれ内側に折畳んでコンパクトにして携帯及び格納等を行うことができて便利であり、使用時には図１に示すように前記両端脚部１，１を外側に広げて起立させ、前記両端脚部１，１間にボールＢをパッティングにより通過させて使用される。しかも、天板を伸縮させて前記両端脚部の間隔を任意に調節してパター練習を行うことができる。
【符号の説明】
【００２３】
１，１  両端脚部
２      天板
３      ピン
４，４  ガイドレール
５，５ 溝
６，６ 長孔
７，７ 雌ねじ孔
８，８ ボルト
【図１】
0003169095.tif 000003
【図２】
0003169095.tif 000004
【図３】
0003169095.tif 000005
【手続補正書】
【提出日】平成23年4月18日(2011.4.18)
【手続補正１】
【補正対象書類名】実用新案登録請求の範囲
【補正対象項目名】請求項３
【補正方法】変更
【補正の内容】
【請求項３】
前記両端脚部のそれぞれを地面に対して固定するための固定手段を備えることを特徴とする請求項１又は２に記載のゴルフパター練習具。
【手続補正２】
【補正対象書類名】明細書
【補正対象項目名】０００８
【補正方法】変更
【補正の内容】
【０００８】
本考案の他の一実施例は、前記両端脚部のそれぞれを地面に対して固定するための固定手段を備えることを特徴とする（請求項３）。この実施の一形態によれば、前記固定手段を用い、必要に応じて前記両端脚部のそれぞれを、使用する場所の地面に固定することができる。したがって、前記両端脚部にゴルフボールが当たった場合にも練習具の位置ずれを防止することができる。
【手続補正３】
【補正対象書類名】明細書
【補正対象項目名】０００９
【補正方法】変更
【補正の内容】
【０００９】
なお、前記固定手段は練習後の固定解除を考えて完全固定でない構成とするのが好ましい。例えば、芝生面で使用する場合には、前記固定手段として、前記両端脚部の下端に設けた透孔に挿通されて芝生面の土に差し込まれるピンを採用することができる。また、じゅうたん、カーペット、床面等に設置する場合には、前記固定手段として、剥離自在の両面接着テープ等を使用するとよい。
【手続補正４】
【補正対象書類名】明細書
【補正対象項目名】００２１
【補正方法】変更
【補正の内容】
【００２１】
つぎに、前記両端脚部の1，１のそれぞれを地面に対して固定するための固定手段１３，１３の一実施例について述べる。図面実施例では、前記両端脚部１，１の下端平面部に透孔１１，１１を設け、前記固定手段１３，１３として、前記透孔１１，１１に挿通されて芝生面に差し込まれるピンを採用している。該ピンとしては、ゴルフティ１２，１２等を用いることができる。
【手続補正書】
【提出日】平成23年5月11日(2011.5.11)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールが間を通過する高さを有する両端脚部と天板とによって門型に形成され、前記両端脚部がそれぞれ内側に折畳み自在に構成されてなることを特徴とするゴルフパター練習具。
【請求項２】
前記天板が伸縮自在に構成されてなることを特徴とする請求項１に記載のゴルフパター練習具。
【請求項３】
前記両端脚部の下端平面部のそれぞれに透孔を設け、該各透孔に挿通されて地面に差し込まれるピンを備えることを特徴とする請求項１又は２に記載のゴルフパター練習具。
【請求項４】
前記両端脚部の下端のそれぞれを床面に接着するための両面接着テープを備えることを特徴とする請求項１又は２に記載のゴルフパター練習具。
【手続補正２】
【補正対象書類名】明細書
【補正対象項目名】０００８
【補正方法】変更
【補正の内容】
【０００８】
本考案の他の一実施例は、前記両端脚部の下端平面部のそれぞれに透孔を設け、該各透孔に挿通されて地面に差し込まれるピンを備えることを特徴とする（請求項３）。この実施の一形態によれば、前記ピンを用い、必要に応じて前記両端脚部のそれぞれを、使用する場所の地面に固定することができる。したがって、前記両端脚部にゴルフボールが当たった場合にも練習具の位置ずれを防止することができる。
【手続補正３】
【補正対象書類名】明細書
【補正対象項目名】０００９
【補正方法】変更
【補正の内容】
【０００９】
なお、芝生面で使用する場合には前記ピンを用いる構成とする一方、じゅうたん、カーペット、床面等に前記ゴルフパター練習具を設置する場合には、前記両端脚部の下端のそれぞれを床面に接着するための両面接着テープを備える態様とすることができる（請求項４）。いずれの場合にも、練習後の固定解除を考えて完全固定でない構成とする。
【手続補正４】
【補正対象書類名】明細書
【補正対象項目名】００２１
【補正方法】変更
【補正の内容】
【００２１】
つぎに、前記両端脚部の１，１のそれぞれを地面に対して固定する手段の一実施例について述べる。図面実施例では、前記両端脚部１，１の下端平面部に透孔１１，１１を設け、該各透孔１１，１１に挿通されて芝生面に差し込まれるピンを採用している。該ピンとしては、ゴルフティ１２，１２等を用いることができる。